(57)【要約】【課題】  キャビネットの嵌合作業を所定通りに確実に行なうこと。【解決手段】  前面開口部に表示装置本体を取り付けたフロントキャビネット１とリアキャビネット２とを有し、該リアキャビネット２の前端縁から前方に所定幅だけ突出されてフロントキャビネット１の後端開口部１ｂに嵌入可能な縁板６が設けられ、該縁板６の前端縁にその縁板６の長手方向に所定間隔をおいて複数の抜止片７が一体突設され、該各抜止片７のうちの適当な複数の抜止片７の内周面にストッパ１１が一体突設されており、フロントキャビネット１に対してリアキャビネット２を同心状態から位置ずれした状態で各抜止片７及び縁板６を該フロントキャビネット１の後端開口部１ｂに嵌入させようとしたときに、そのフロントキャビネット１の後端縁１ｃに前記ストッパ１１が当たるようにした。【選択図】        図２
2008299151.tif 000002
【特許請求の範囲】
【請求項１】
前面開口部に表示装置本体を取り付けたフロントキャビネットとリアキャビネットとを
有し、該リアキャビネットの前端縁から前方に所定幅だけ突出されてフロントキャビネッ
トの後端開口部に嵌入可能な縁板が設けられ、該縁板の前端縁にその縁板の長手方向に所
定間隔をおいて複数の抜止片が一体突設されており、フロントキャビネットに対してリア
キャビネットを同心状に位置決めした状態で各抜止片及び縁板を該フロントキャビネット
の後面開口部に嵌入させることにより、そのフロントキャビネットとリアキャビネットと
を一体的に嵌合させるようにした薄型表示装置において、前記各抜止片のうちの適当な複
数の抜止片の内周面にストッパが一体突設されており、フロントキャビネットに対してリ
アキャビネットを同心状態から位置ずれした状態で各抜止片及び縁板を該フロントキャビ
ネットの後面開口部に嵌入させようとしたときに、そのフロントキャビネットの後端縁に
前記ストッパが当たるようにしたことを特徴とする薄型表示装置。
【請求項２】
前記ストッパが、抜止片の内周面に所定間隔をおいて一体突設した複数の突条からなる
ことを特徴とする請求項１に記載の薄型表示装置。
【請求項３】
前面開口部に表示装置本体を取り付けたフロントキャビネットとリアキャビネットとを
有し、該リアキャビネットの前端縁から前方に所定幅だけ突出されてフロントキャビネッ
トの後端開口部に嵌入可能な縁板が設けられ、該縁板の前端縁にその縁板の長手方向に所
定間隔をおいて複数の抜止片が一体突設されており、フロントキャビネットに対してリア
キャビネットを同心状に位置決めした状態で各抜止片及び縁板を該フロントキャビネット
の後面開口部に嵌入させることにより、そのフロントキャビネットとリアキャビネットと
を一体的に嵌合させるようにした薄型表示装置において、前記各抜止片のうちの適当な複
数の抜止片の内周面に所定間隔をおいて一体突設した複数の突条からなるストッパが設け
られており、フロントキャビネットに対してリアキャビネットを同心状態から位置ずれし
た状態で各抜止片及び縁板を該フロントキャビネットの後面開口部に嵌入させようとした
ときに、そのフロントキャビネットの後端縁に前記ストッパが当たるようにしたことを特
徴とする薄型表示装置。
【発明の詳細な説明】
【技術分野】
【０００１】
本発明は、例えば液晶テレビや液晶モニターなどの薄型表示装置に関し、特に、キャビ
ネットの嵌合作業を所定通りに確実に行なうことができるようにしたものである。
【背景技術】
【０００２】
従来、薄型表示装置の一例として図４〜図８に示すものがあり、これは液晶テレビであ
って、図４は同斜視図、図５は同水平断面図、図６は同要部の拡大斜視図、図７（ａ）及
び（ｂ）は同キャビネットの嵌合作業を所定通りに行なった場合の概略説明図、図８（ａ
）〜（ｃ）は同嵌合作業を所定通りに行なわなかった場合の概略説明図である。
【０００３】
図４及び図５に示すように、前面開口部１ａに液晶モジュール３（表示装置本体）を取
り付けたフロントキャビネット１とリアキャビネット２とを有し、前記液晶モジュール３
内の液晶セル４の後方に冷陰極管（ＣＣＦＬ）５が配置されており、その冷陰極管５を発
光させることにより液晶セル４を後方から照らし、その液晶セル４に映像を表示する。
【０００４】
図４及び図６に示すように、リアキャビネット２の前端縁から前方に所定幅ｈだけ突出
されてフロントキャビネット１の後端開口部１ｂに嵌入可能な正面視略コ字状の縁板６が
設けられ、該縁板６の天板部６ａ及び両側板部６ｂ，６ｃの前端縁にその縁板６の長手方
向に所定間隔をおいて複数の抜止片７が一体突設され、縁板６の外周面とリアキャビネッ
ト２の前端縁との間にフロントキャビネット１の後端縁１ｃを嵌合させるための凹段部８
が形成されている。
【０００５】
落下試験では、嵌合状態（図６実線参照）の両キャビネット１，２を所定高さ位置から
落下させ、その嵌合状態が維持されるか否かを試験する。この場合、その落下の衝撃でフ
ロントキャビネット１に対してリアキャビネット２が所定間隔αだけ離間され、その間隔
αが縁板６の幅ｈよりも大きくても（α＞ｈ）、その間隔αが各抜止片７の突出高さＨよ
りも小さければ（α＜Ｈ）、その各抜止片７がフロントキャビネット１に引っ掛かって、
両キャビネット１，２の嵌合状態が解除されない。
【０００６】
要するに、縁板６の幅ｈを小さく設定することにより、両キャビネット１，２の嵌合作
業を容易に行なうことができると共に、各抜止片７の突出高さＨを大きく設定することに
より、両キャビネット１，２に落下などの衝撃がかかっても、その嵌合状態を確実に維持
することができる。
【０００７】
キャビネット１，２の嵌合作業を説明すると、図７（ａ）及び（ｂ）の仮想線で示すよ
うに、フロントキャビネット１の後端開口部１ｂを上向きにした状態で該フロントキャビ
ネット１を載置台９上に載置し、そのフロントキャビネット１に対してリアキャビネット
２を上方から同心状に位置決めし、図７（ｂ）に実線で示すように、リアキャビネット２
を下降させて、各抜止片７及び縁板６をフロントキャビネット１の後端開口部１ｂに嵌入
させることにより、そのフロントキャビネット１とリアキャビネット２とを一体的に嵌合
させる。
【０００８】
図８（ａ）及び（ｂ）の仮想線で示すように、フロントキャビネット１に対してリアキ
ャビネット２を同心状態（図１参照）から矢印Ａ方向に誤って位置ずれさせた状態で各抜
止片７及び縁板６を該フロントキャビネット１の後端開口部１ｂに嵌入させようとしたと
きには、図８（ｂ）の実線で示すように、縁板６の天板部６ａ及び一方の側板部６ｂの各
抜止片７がフロントキャビネット１よりも外側にはみ出る。
【０００９】
図８（ａ）に示すように、リアキャビネット２を矢印Ｂ方向に誤って位置ずれさせたと
きにも、縁板６の天板部６ａ及び他方の側板部６ｃの各抜止片７がフロントキャビネット
１よりも外側にはみ出る。
【００１０】
上記のようにリアキャビネット２を誤って位置ずれさせた場合には、該リアキャビネッ
ト２を一旦持ち上げて再度降ろすことにより、各抜止片７及び縁板６をフロントキャビネ
ット１の後端開口部１ｂに嵌入させる〔図８（ｃ）参照〕。なお、関連する技術として特
許文献１に記載したものがある。
【特許文献１】特開平８−２８９２２８号公報
【発明の開示】
【発明が解決しようとする課題】
【００１１】
上記構成によれば、図８（ａ）及び（ｂ）の仮想線で示すように、フロントキャビネッ
ト１に対してリアキャビネット２を同心状態（図７参照）から矢印Ａ方向（またはＢ方向
）に誤って位置ずれさせた状態で各抜止片７及び縁板６を該フロントキャビネット１の後
端開口部１ｂに嵌入させようとすると、図８（ｂ）の実線で示すように、抜止片７がフロ
ントキャビネット１よりも外側にはみ出し、図８（ｃ）に示すように、その外側にはみ出
した各抜止片７によりフロントキャビネット１の外周面に傷Ｋがつけられることがあり、
その傷Ｋにより商品価値を失うことになる。
【００１２】
また、上記のようにリアキャビネット２を誤って位置ずれさせた場合には、該リアキャ
ビネット２を一旦持ち上げて再度降ろすことにより、各抜止片７及び縁板６をフロントキ
ャビネット１の後端開口部１ｂに嵌入させる必要があり〔図８（ｃ）参照〕、その嵌合作
業に手間がかかって面倒である。
【００１３】
本発明は、上記従来の欠点に鑑み、キャビネットの嵌合作業を所定通りに確実に行なう
ことができるようにした薄型表示装置を提供することを目的としている。
【課題を解決するための手段】
【００１４】
上記目的を達成するため、請求項１に記載の発明は、前面開口部に表示装置本体を取り
付けたフロントキャビネットとリアキャビネットとを有し、該リアキャビネットの前端縁
から前方に所定幅だけ突出されてフロントキャビネットの後端開口部に嵌入可能な縁板が
設けられ、該縁板の前端縁にその縁板の長手方向に所定間隔をおいて複数の抜止片が一体
突設されており、フロントキャビネットに対してリアキャビネットを同心状に位置決めし
た状態で各抜止片及び縁板を該フロントキャビネットの後面開口部に嵌入させることによ
り、そのフロントキャビネットとリアキャビネットとを一体的に嵌合させるようにした薄
型表示装置において、前記各抜止片のうちの適当な複数の抜止片の内周面にストッパが一
体突設されており、フロントキャビネットに対してリアキャビネットを同心状態から位置
ずれした状態で各抜止片及び縁板を該フロントキャビネットの後面開口部に嵌入させよう
としたときに、そのフロントキャビネットの後端縁に前記ストッパが当たるようにしたこ
とを特徴としている。
【００１５】
請求項２に記載の発明は、請求項１に記載の発明において、前記ストッパが、抜止片の
内周面に所定間隔をおいて一体突設した複数の突条からなることを特徴としている。
【００１６】
請求項３に記載の発明は、前面開口部に表示装置本体を取り付けたフロントキャビネッ
トとリアキャビネットとを有し、該リアキャビネットの前端縁から前方に所定幅だけ突出
されてフロントキャビネットの後端開口部に嵌入可能な縁板が設けられ、該縁板の前端縁
にその縁板の長手方向に所定間隔をおいて複数の抜止片が一体突設されており、フロント
キャビネットに対してリアキャビネットを同心状に位置決めした状態で各抜止片及び縁板
を該フロントキャビネットの後面開口部に嵌入させることにより、そのフロントキャビネ
ットとリアキャビネットとを一体的に嵌合させるようにした薄型表示装置において、前記
各抜止片のうちの適当な複数の抜止片の内周面に所定間隔をおいて一体突設した複数の突
条からなるストッパが設けられており、フロントキャビネットに対してリアキャビネット
を同心状態から位置ずれした状態で各抜止片及び縁板を該フロントキャビネットの後面開
口部に嵌入させようとしたときに、そのフロントキャビネットの後端縁に前記ストッパが
当たるようにしたことを特徴としている。
【発明の効果】
【００１７】
請求項１に記載の発明によれば、リアキャビネットをフロントキャビネットに間違えて
嵌合させようとしても、該リアキャビネットの抜止片の内周面に一体突設したストッパが
フロントキャビネットの後端縁に当たって、その嵌合が阻止されるから、間違いを直ちに
感知して嵌合作業をやり直すことができ、このとき、従来のように外側にはみ出た抜止片
でフロントキャビネットの外周面に傷がつけられることがないから、キャビネットの外観
上の体裁を良好に維持することができる。
【００１８】
更に、上記のようにリアキャビネットを誤って位置ずれさせた場合には、該リアキャビ
ネットを水平移動させるだけで、各抜止片及び縁板をフロントキャビネットの後端開口部
に嵌入させることができ、その嵌合作業を所定通りに確実に行なうことができる。
【００１９】
請求項２に記載の発明によれば、ストッパが抜止片の内周面に一体突設した複数の突条
からなり、その突条を一体突設するためにリアキャビネットの成形金型にわずかな変更を
加えるだけでよいから、経済的である。
【００２０】
請求項３に記載の発明は実施の一形態（図１〜図３参照）に対応するものであって、こ
れによれば、リアキャビネットをフロントキャビネットに間違えて嵌合させようとしても
、該リアキャビネットの抜止片の内周面に一体突設したストッパがフロントキャビネット
の後端縁に当たって、その嵌合が阻止されるから、間違いを直ちに感知して嵌合作業をや
り直すことができ、このとき、従来のように外側にはみ出た抜止片でフロントキャビネッ
トの外周面に傷がつけられることがないから、キャビネットの外観上の体裁を良好に維持
することができる。
【００２１】
更に、上記のようにリアキャビネットを誤って位置ずれさせた場合には、該リアキャビ
ネットを水平移動させるだけで、各抜止片及び縁板をフロントキャビネットの後端開口部
に嵌入させることができ、その嵌合作業を所定通りに確実に行なうことができる。
【００２２】
しかも、ストッパが抜止片の内周面に一体突設した複数の突条からなり、その突条を一
体突設するためにリアキャビネットの成形金型にわずかな変更を加えるだけでよいから、
経済的である。
【発明を実施するための最良の形態】
【００２３】
図１〜図３は本発明の実施の一形態である薄型表示装置を示すものであり、これは液晶
テレビであって、図１は同要部の拡大斜視図、図２（ａ）及び（ｂ）は同キャビネットの
嵌合作業を所定通りに行なった場合の概略説明図、図３（ａ）〜（ｃ）は同嵌合作業を所
定通りに行なわなかった場合の概略説明図である。
【００２４】
図１及び図２に示すように、リアキャビネット２の縁板６の天板部６ａに一体突設した
複数の抜止片７のうちの中央の抜止片７と、その縁板６の両側板部６ｂ，６ｃに一体突設
した複数の抜止片７のうちの中央の抜止片７とに、それぞれストッパ１１が一体突設され
ている。上記以外の構成は図４〜図８に示す構成とほぼ同じであるから、同一部分に同一
符号を付してその説明を省略する。
【００２５】
図１に示すように、前記ストッパ１１は、抜止片７の内周面に所定間隔をおいて平行に
一体突設した複数（この実施の形態では３つ）の突条１１Ａからなり、該各突条１１Ａが
抜止片７から所定幅ｔ（例えば２〜５ｍｍ）だけ内側に突出されると共に、その各突条１
１Ａの先端縁１１ａが抜止片７の先端縁７ａと面一状に形成されている。
【００２６】
キャビネット１，２の嵌合作業を説明すると、図２（ａ）及び（ｂ）の仮想線で示すよ
うに、フロントキャビネット１の後端開口部１ｂを上向きにした状態で該フロントキャビ
ネット１を載置台９上に載置し、そのフロントキャビネット１に対してリアキャビネット
２を上方から同心状に位置決めし、次に、図２（ｂ）に実線で示すように、リアキャビネ
ット２を下降させて、各抜止片７及び縁板６をフロントキャビネット１の後端開口部１ｂ
に嵌入させることにより、そのフロントキャビネット１とリアキャビネット２とを一体的
に嵌合させる。
【００２７】
図３（ａ）及び（ｂ）の仮想線で示すように、フロントキャビネット１に対してリアキ
ャビネット２を同心状態（図２参照）から矢印Ａ方向に誤って位置ずれさせた状態で各抜
止片７及び縁板６を該フロントキャビネット１の後端開口部１ｂに嵌入させようとしたと
きには、図３（ｂ）の実線で示すように、各抜止片７がフロントキャビネット１よりも外
側にはみ出すが、２つの抜止片７に一体突設したストッパ１１がフロントキャビネット１
の後端縁１ｃに当たり、リアキャビネット２をフロントキャビネット１に嵌合させること
ができない。
【００２８】
図３（ａ）に示すように、リアキャビネット２を矢印Ｂ方向に誤って位置ずれさせたと
きにも、２つの抜止片７に一体突設したストッパ１１がフロントキャビネット１の後端縁
１ｃに当たり、リアキャビネット２をフロントキャビネット１に嵌合させることができな
い。
【００２９】
上記のようにストッパ１１がフロントキャビネット１の後端縁１ｃに当たっている場合
には、リアキャビネット２を水平移動させ、各抜止片７及び縁板６をフロントキャビネッ
ト１の後端開口部１ｂに嵌入させる〔図３（ｃ）参照〕。
【００３０】
上記構成によれば、リアキャビネット２をフロントキャビネット１に間違えて嵌合させ
ようとしても、該リアキャビネット２の抜止片７の内周面に一体突設したストッパ１１が
フロントキャビネット１の後端縁１ｃに当たって、その嵌合が阻止されるから、間違いを
直ちに感知して嵌合作業をやり直すことができ、このとき、従来のように外側にはみ出た
抜止片７でフロントキャビネット１の外周面に傷Ｋがつけられることがないから〔図８（
ｃ）参照〕、キャビネット１，２の外観上の体裁を良好に維持することができる。
【００３１】
上記のようにリアキャビネット２を誤って位置ずれさせた場合には、該リアキャビネッ
ト２を水平移動させるだけで、各抜止片７及び縁板６をフロントキャビネット１の後端開
口部１ｂに嵌入させることができ、その嵌合作業を迅速容易に行なうことができる。
【００３２】
この場合、従来のようにリアキャビネット２を一旦持ち上げて再度降ろすことにより、
そのリアキャビネット２をフロントキャビネット１に嵌合させるという面倒な作業を省略
することができる。
【００３３】
しかも、ストッパ１１が抜止片７の内周面に一体突設した複数の突条１１Ａからなり、
その突条１１Ａを一体突設するためにリアキャビネット２の成形金型にわずかな変更を加
えるだけでよいから、経済的である。
【図面の簡単な説明】
【００３４】
【図１】本発明の実施の一形態である薄型表示装置における要部の拡大斜視図である。
【図２】（ａ）及び（ｂ）は同キャビネットの嵌合作業を所定通りに行なった場合の概略説明図である。
【図３】（ａ）〜（ｃ）は同嵌合作業を所定通りに行なわなかった場合の概略説明図である。
【図４】従来例を示す斜視図である。
【図５】同水平断面図である。
【図６】同要部の拡大斜視図である。
【図７】（ａ）及び（ｂ）は同キャビネットの嵌合作業を所定通りに行なった場合の概略説明図である。
【図８】（ａ）〜（ｃ）は同嵌合作業を所定通りに行なわなかった場合の概略説明図である。
【符号の説明】
【００３５】
１          フロントキャビネット
１ａ        フロントキャビネットの前面開口部
１ｂ        フロントキャビネットの後端開口部
１ｃ        フロントキャビネットの後端縁
２          リアキャビネット
３          液晶モジュール（表示装置本体）
６          縁板
７          抜止片
１１        ストッパ
１１Ａ      突条
【図１】
2008299151.tif 000003
【図２】
2008299151.tif 000004
【図３】
2008299151.tif 000005
【図４】
2008299151.tif 000006
【図５】
2008299151.tif 000007
【図６】
2008299151.tif 000008
【図７】
2008299151.tif 000009
【図８】
2008299151.tif 000010